Podtech/llm-jp-corpus-v4-ja_patent huggingface dataset:
【手続補正書】
【提出日】平成17年9月8日(2005.9.8)
【手続補正１】
【補正対象書類名】特許請求の範囲
【補正対象項目名】全文
【補正方法】変更
【補正の内容】
【特許請求の範囲】
【請求項１】
Ａｌ，Ｓｉ，Ｋがドープ添加されたタングステン（Ｗ）を、コイリングなどの二次加工工程を経て製品に加工される二次加工用タングステン素材の製造方法において、タングステン焼結体を転打・線引き加工してタングステン素材を調製し、このタングステン素材の直径Ｄの１／３を基準長さとしたときの粗さ曲線の凹凸の平均間隔（Ｓｍ）を√（Ｄ／５）以上とすると共に、上記粗さ曲線の山頂線と谷底線との間隔（Ｒｙ）をＤ／５０以下とすることを特徴とする二次加工用タングステン素材の製造方法。
【請求項２】
前記タングステン素材表面にグラファイトを主成分とする潤滑剤層を形成することを特徴とする請求項１記載の二次加工用タングステン素材の製造方法。
【請求項３】
前記タングステン素材表面に酸化物層を形成することを特徴とする請求項１記載の二次加工用タングステン素材の製造方法。
【請求項４】
前記タングステン素材の直径Ｄを０．０１〜０．２ｍｍの範囲とすることを特徴とする請求項１記載の二次加工用タングステン素材の製造方法。
【請求項５】
前記タングステン素材にＲｅを２〜２７重量％含有させることを特徴とする請求項１記載の二次加工用タングステン素材の製造方法。
【請求項６】
前記タングステン素材に酸化トリウムを０．５〜５重量％含有させることを特徴とする請求項１記載の二次加工用タングステン素材の製造方法。
【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
防水性の手袋の掌側に、洗浄効果を容易にする化学製の用布を装着した台所用の防水手袋。
【手続補正２】
【補正対象書類名】明細書
【補正対象項目名】全文
【補正方法】変更
【補正の内容】
【発明の詳細な説明】
【発明の名称】台所用の防水手袋
【技術分野】
【０００１】  この発明は、台所などで種々の物を洗浄するときに使用する防水手袋に関するものである。
【背景技術】
【０００２】  従来より、防水手袋をはめて種々の物の汚れを洗浄をする時、手袋を嵌めた手にタワシなど洗浄用具を持ち作業する。
【発明が解決しようとする課題】
【０００３】  これは次のような欠点があった。
イ、手袋を嵌めた手に、タワシなど種々の洗浄用具を持ち作業すると、手の動きが非常に不器用な状態になり不便である。
ロ、タワシなど洗浄用具を握っていると、指を自由に使うことができ難く、細部の汚れを除去するのが困難で不便である。
ハ、タワシなど洗浄用具を使用すると、作業中に持ち替えたり置いたりする事が多く有り不便で、作業が迅速に進まない。
本発明は以上の欠点を解決する為になされたものである。
【課題を解決するための手段】
【０００４】  防水性手袋の掌側の表面に、洗浄を容易にする化学製の用布を装着する。以上を特徴とする台所用の防水手袋である。
【発明の効果】
【０００５】  本発明は、種々の物の汚れを洗浄する時、タワシなど他の洗浄用具を使用する必要が無く、手に嵌めた手袋に装着した用布で直接に汚れを除去出来て手の皮膚も保護出来る。
【発明を実施するための最良の形態】
【０００６】以下、本発明の実施の形態を説明する。
（イ）防水性の手袋（１）の掌側の表面に、タワシなど洗浄用具と同様の働きをする化学製用布（２）を装着する。
本発明は以上のような構成よりなつている。
本発明を使用する時は、上記の手袋の用布（２）を装着している面を掌側にして手に嵌める。そして他の用具を使用せず、装着した用布（２）で汚れを擦り洗浄する。洗剤が必要な場合は、用布（２）に直接洗剤を付けて洗浄する。
本発明を使用することによつて、他の洗浄用具の必要が無く、指も自由に動くため、細部の汚れの除去も容易になる。更に手の皮膚が弱く絶対に防水手袋の必要な人や、傷が有る場合などはそれを完全に保護し作業を可能にする。又飲食業などで多量に、或は長時間の洗浄作業に従事する人は、他の用具を使用する煩わしさが無く、作業が容易で迅速になり手荒れも防止し、非常に便利で有効である。
【図面の簡単な説明】
【０００７】
【図１】  本考案の正面図
【符号の説明】
１、  防水手袋
２、  化学製用布
【手続補正書】
【提出日】平成17年10月28日(2005.10.28)
【手続補正１】
【補正対象書類名】明細書
【補正対象項目名】００２５
【補正方法】変更
【補正の内容】
【００２５】
まず始めに下記のような配合で顔料分散体を作成した。この分散体は有機溶剤中に顔料および分散剤を投入し、ハイスピードミキサー等で均一になるまで撹拌後、得られたミルベースを横型サンドミルで約２時間分散して作成した。
・リーガル４００Ｒ（キャボット社製 カーボンブラック顔料） ４０．０部
・Ｄｉｓｐｅｒｂｙｋ１３０（ＢＹＫ Ｃｈｅｍｉｅ社製 顔料分散剤） １３．０部
・ジョンクリル５８６（ジョンソンポリマー社製 スチレン−アクリル樹脂） １０．０部
・エチレングリコールモノブチルエーテルアセテート（蒸気圧：０．３０ｍｍＨｇ） ３７．０部
【手続補正２】
【補正対象書類名】明細書
【補正対象項目名】００２６
【補正方法】変更
【補正の内容】
【００２６】
［実施例１］顔料分散体を下記のような配合にて希釈してインクジェットインキを作成した。このインキを本発明の数式に当てはめるとＡ＝０．６１、Ｂ＝５．３３、Ｂ−Ａ＝４．７２となった。
・顔料分散体 １２．５部
・プロピレングリコールモノメチルエーテルアセテート（蒸気圧：３．７５ｍｍＨｇ） １０．０部
・エチレングリコールモノブチルエーテルアセテート（蒸気圧：０．３０ｍｍＨｇ） ６７．５部
・ジエチレングリコールモノエチルエーテルアセテート（蒸気圧：０．０５ｍｍＨｇ） １０．０部
【手続補正３】
【補正対象書類名】明細書
【補正対象項目名】００２７
【補正方法】変更
【補正の内容】
【００２７】
［実施例２］顔料分散体を下記のような配合にて希釈してインクジェットインキを作成した。このインキを本発明の数式に当てはめるとＡ＝１．２１、Ｂ＝２．７４、Ｂ−Ａ＝１．５３となった。
・顔料分散体 １２．５部
・酢酸ヘキシル（蒸気圧：３．８ｍｍＨｇ） １５．０部
・乳酸プロピル（蒸気圧：１．０ｍｍＨｇ） ５０．０部
・エチレングリコールモノブチルエーテルアセテート（蒸気圧：０．３０ｍｍＨｇ） ７．５部
・ジプロピレングリコールモノメチルエーテル（蒸気圧：０．１ｍｍＨｇ） １５．０部
【手続補正４】
【補正対象書類名】明細書
【補正対象項目名】００２８
【補正方法】変更
【補正の内容】
【００２８】
［実施例３］顔料分散体を下記のような配合にて希釈してインクジェットインキを作成した。このインキを本発明の数式に当てはめるとＡ＝１．８３、Ｂ＝２．１８、Ｂ−Ａ＝０．３５となった。
・顔料分散体 １２．５部
・ジエチレングリコールジメチルエーテル（蒸気圧：２．４７ｍｍＨｇ） ５５．０部
・ジエチレングリコールジエチルエーテル（蒸気圧：０．６ｍｍＨｇ） １５．０部
・シクロヘキサノン（蒸気圧：３．７５ｍｍＨｇ） ４．０部
・ジプロピレングリコールモノメチルエーテル（蒸気圧：０．１ｍｍＨｇ） １３．５部
【手続補正５】
【補正対象書類名】明細書
【補正対象項目名】００２９
【補正方法】変更
【補正の内容】
【００２９】
［実施例４］顔料分散体を下記のような配合にて希釈してインクジェットインキを作成した。このインキを本発明の数式に当てはめるとＡ＝０．４２、Ｂ＝５．７９、Ｂ−Ａ＝５．３７となった。
・顔料分散体 １２．５部
・乳酸プロピル（蒸気圧：１．０ｍｍＨｇ） ２５．０部
・エチレングリコールモノブチルエーテルアセテート（蒸気圧：０．３０ｍｍＨｇ） ４７．５部
・ジエチレングリコールモノエチルエーテルアセテート（蒸気圧：０．０５ｍｍＨｇ） １５．０部
【手続補正６】
【補正対象書類名】明細書
【補正対象項目名】００３０
【補正方法】変更
【補正の内容】
【００３０】
［実施例５］顔料分散体を下記のような配合にて希釈してインクジェットインキを作成した。このインキを本発明の数式に当てはめるとＡ＝１．５６、Ｂ＝７．５８、Ｂ−Ａ＝６．０２となった。
・顔料分散体 １２．５部
・酢酸ブチル（蒸気圧：１５．０ｍｍＨｇ） ５．０部
・シクロヘキサノン（蒸気圧：３．７５ｍｍＨｇ） ３５．０部
・エチレングリコールモノブチルエーテルアセテート（蒸気圧：０．２５ｍｍＨｇ） ３１．５部
・トリプロピレングリコールモノメチルエーテル（蒸気圧：０．０３ｍｍＨｇ） １６．０部
【手続補正７】
【補正対象書類名】明細書
【補正対象項目名】００３１
【補正方法】変更
【補正の内容】
【００３１】
［比較例１］顔料分散体を下記のような配合にて希釈してインクジェットインキを作成した。このインキを本発明の数式に当てはめるとＡ＝２．２４、Ｂ＝１．２７、Ｂ−Ａ＝−０．９７となった。
・顔料分散体 １２．５部
・プロピレングリコールモノメチルエーテルアセテート（蒸気圧：３．７５ｍｍＨｇ） ４０．０部
・シクロヘキサノン（蒸気圧：３．７５ｍｍＨｇ） ３０．０部
・エチレングリコールモノブチルエーテルアセテート（蒸気圧：０．３０ｍｍＨｇ） １７．５部
【手続補正８】
【補正対象書類名】明細書
【補正対象項目名】００３２
【補正方法】変更
【補正の内容】
【００３２】
［比較例２］顔料分散体を下記のような配合にて希釈してインクジェットインキを作成した。このインキを本発明の数式に当てはめるとＡ＝１．２５、Ｂ＝１２．０、Ｂ−Ａ＝１０．７５となった。
・顔料分散体 １２．５部
・プロピレングリコールモノメチルエーテルアセテート（蒸気圧：３．７５ｍｍＨｇ） ２０．０部
・シクロヘキサノン（蒸気圧：３．７５ｍｍＨｇ） ２０．０部
・エチレングリコールモノブチルエーテルアセテート（蒸気圧：０．３０ｍｍＨｇ） １７．５部
・トリプロピレングリコールモノメチルエーテル（蒸気圧：０．０３ｍｍＨｇ） ３０．０部
【手続補正９】
【補正対象書類名】明細書
【補正対象項目名】００４１
【補正方法】変更
【補正の内容】
【００４１】
【表１】
2005036199.tif 000001
【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
道路あるいは鉄道の橋梁又はトンネル内を含むコンクリート構造物のコンクリート表面に、１００ＭＰａ〜２８０ＭＰａ、８〜２５リットル／分の水量で、コンクリート強度別に制御された超高圧水を噴射し、コンクリートが剥落するか否かで健全度判定を行うことを特徴とするウォータージェットによる劣化コンクリートの診断方法。
【請求項２】
ウォータージェットによる診断後のハツリ水を回収し、環境基準に準じた水処理後、循環して使用することを特徴とする請求項１のウォータージェットによる劣化コンクリートの診断方法。
【請求項３】
ハンドガンによるウォータージェットにより水を噴射することを特徴とする、請求項１又は２の診断方法。
【手続補正書】
【提出日】平成17年9月22日(2005.9.22)
【手続補正１】
【補正対象書類名】特許請求の範囲
【補正対象項目名】請求項１
【補正方法】変更
【補正の内容】
【請求項１】
加熱すると締結を解除するように変形する締結部によって複数の部品が締結されてなる易解体製品であって、
加熱された液体中において前記締結部の変形により各部品の締結が解体された後、当該易解体製品の構成部品を部品単位で分離できるように、前記複数の構成部品のうちの一部の部品に、その部品が前記液体より受ける浮力が、該部品の自重よりも大きくなるような容積を有する中空部が設けられていることを特徴とする易解体製品。
【手続補正２】
【補正対象書類名】特許請求の範囲
【補正対象項目名】請求項２
【補正方法】変更
【補正の内容】
【請求項２】
加熱すると締結を解除するように変形する締結部によって複数の部品が締結されてなる易解体製品であって、
加熱された液体中において前記締結部の変形により各部品の締結が解体された後、当該易解体製品の構成部品を部品単位で分離できるように、前記複数の構成部品のうちの一部の部品に、その部品が前記液体より受ける浮力が、該部品の自重よりも大きくなるような容積を有する比重の小さい材料からなる部材が取り付けられていることを特徴とする易解体製品。
【手続補正３】
【補正対象書類名】明細書
【補正対象項目名】０００８
【補正方法】変更
【補正の内容】
【０００８】
本発明の易解体製品は、加熱すると締結を解除するように変形する締結部によって複数の部品が締結されてなる製品であって、加熱された液体中（湯水やシリコンオイル中）において前記締結部の変形により各部品の締結が解体された後、当該易解体製品の構成部品を部品単位で分離できるように、前記複数の構成部品のうちの一部の部品（特定の部品）に、その部品が前記液体より受ける浮力が、該部品の自重よりも大きくなるような容積を有する中空部が設けられていることによって特徴づけられる。
【手続補正４】
【補正対象書類名】明細書
【補正対象項目名】００１０
【補正方法】変更
【補正の内容】
【００１０】
本発明の易解体製品は、加熱すると締結を解除するように変形する締結部によって複数の部品が締結されてなる製品であって、加熱された液体中（湯水やシリコンオイル中）において前記締結部の変形により各部品の締結が解体された後、当該易解体製品の構成部品を部品単位で分離できるように、前記複数の構成部品のうちの一部の部品（特定の部品）に、その部品が前記液体より受ける浮力が、該部品の自重よりも大きくなるような容積を有する比重の小さい材料（例えば発泡樹脂）からなる部材が取り付けられていることによって特徴づけられる。
【手続補正書】
【提出日】平成17年5月17日(2005.5.17)
【手続補正１】
【補正対象書類名】特許請求の範囲
【補正対象項目名】全文
【補正方法】変更
【補正の内容】
【特許請求の範囲】
【請求項１】
下記式Ｉ〜III：
【化１】
2005036009.tif 000001
［式中、ｎは１〜４の整数である］で表される化合物または製薬上許容しうるその塩、但し、化合物(１α,３α,５α)(３−アミノメチル−ビシクロ［３.２.０］ヘプタ−３−イル)−酢酸または製薬上許容しうるその塩を除く。
【請求項２】
ｎが２〜４の整数である請求項１に記載の化合物または製薬上許容しうるその塩。
【請求項３】
化合物が式Ｉの化合物である請求項１に記載の化合物または製薬上許容しうるその塩。
【請求項４】
化合物が、
(２−アミノメチル−オクタヒドロ−インデン−２−イル)−酢酸、
(２−アミノメチル−オクタヒドロ−ペンタレン−２−イル)−酢酸、
(３−アミノメチル−ビシクロ［３.２.０］ヘプタ−３−イル)−酢酸、
(１α,５β)(３−アミノメチル−ビシクロ［３.１.０］ヘキサ−３−イル)−酢酸、
(１α,５β)(３−アミノメチル−ビシクロ［３.２.０］ヘプタ−３−イル)−酢酸、
(１α,５β)(２−アミノメチル−オクタヒドロ−ペンタレン−２−イル)−酢酸、
(１α,６β)(２−アミノメチル−オクタヒドロ−インデン−２−イル)−酢酸、
(１α,３α,５α)(３−アミノメチル−ビシクロ［３.１.０］ヘキサ−３−イル)−酢酸
、
(１α,３α,５α)(２−アミノメチル−オクタヒドロ−ペンタレン−２−イル)−酢酸、
(１α,６α,８α)(２−アミノメチル−オクタヒドロ−インデン−２−イル)−酢酸、
(１α,３β,５α)(３−アミノメチル−ビシクロ［３.１.０］ヘキサ−３−イル)−酢酸、
(１α,３β,５α)(３−アミノメチル−ビシクロ［３.２.０］ヘプタ−３−イル)−酢酸、
(１α,３β,５α)(２−アミノメチル−オクタヒドロ−ペンタレン−２−イル)−酢酸、および
(１α,６α,８β)(２−アミノメチル−オクタヒドロ−インデン−２−イル)−酢酸
からなる群から選択される、請求項１に記載の化合物または製薬上許容しうるその塩。
【請求項５】
請求項１に記載の化合物または製薬上許容しうるその塩および製薬上許容しうる担体を含有する医薬組成物。
【請求項６】
てんかん治療用薬剤を製造するための請求項１に記載の化合物または製薬上許容しうるその塩の使用。
【請求項７】
失神発作、運動低下症および頭部疾患の治療用薬剤を製造するための請求項１に記載の化合物または製薬上許容しうるその塩の使用。
【請求項８】
神経変性性疾患治療用薬剤を製造するための請求項１に記載の化合物または製薬上許容しうるその塩の使用。
【請求項９】
抑鬱症治療用薬剤を製造するための請求項１に記載の化合物または製薬上許容しうるその塩の使用。
【請求項１０】
不安症治療用薬剤を製造するための請求項１に記載の化合物または製薬上許容しうるその塩の使用。
【請求項１１】
パニック治療用薬剤を製造するための請求項１に記載の化合物または製薬上許容しうるその塩の使用。
【請求項１２】
疼痛治療用薬剤を製造するための請求項１に記載の化合物または製薬上許容しうるその塩の使用。
【請求項１３】
疼痛が神経障害性疼痛である請求項１２に記載の使用。
【請求項１４】
神経病理学的疾患の治療用薬剤を製造するための請求項１に記載の化合物または製薬上許容しうるその塩の使用。
【請求項１５】
月経前症候群の治療用薬剤を製造するための請求項１に記載の化合物または製薬上許容しうるその塩の使用。
【手続補正２】
【補正対象書類名】明細書
【補正対象項目名】００９８
【補正方法】変更
【補正の内容】
【００９８】
実施例８
(１α,３β,５α)(３−アミノメチル−ビシクロ［３.２.０］ヘプタ−３−イル）−酢酸
塩酸塩
【化１１】
2005036009.tif 000002
【手続補正書】
【提出日】平成16年6月7日(2004.6.7)
【手続補正１】
【補正対象書類名】明細書
【補正対象項目名】特許請求の範囲
【補正方法】変更
【補正の内容】
【特許請求の範囲】
【請求項１】
１つ以上のストリートを記載した地図であって、前記ストリートの始点に、ストリートの終点の方向を示す矢印を表示することを特徴とする地図。
【請求項２】
前記ストリートの始点の写真を表示することを特徴とする請求項１記載の地図。
【請求項３】
前記ストリートの始点から所定距離ごとにマークを表示することを特徴とする請求項１又は２記載の地図。
【請求項４】
前記ストリートの終点を地図の上側に表示し、前記ストリートの始点を地図の下側に表示することを特徴とする請求項１乃至３何れか一項記載の地図。
【請求項５】
駅の出入口を表した地図であって、前記駅の出入口の識別記号とともに人が前記駅の出入口を出たときの向きを表示することを特徴とする地図。
【請求項６】
目的地に対応した前記駅の出入口の識別記号と当該出入口と目的地との関係に係るコメントとを有するコメント欄を表示することを特徴とする請求項５記載の地図。
【請求項７】
前記地図上に写真表示マークを表示して、該写真表示マークの表示位置の写真を表示することを特徴とする請求項１又は５記載の地図。
【手続補正２】
【補正対象書類名】明細書
【補正対象項目名】００１１
【補正方法】変更
【補正の内容】
【００１１】
また、請求項３記載の発明は、前記ストリートの始点から所定距離ごとにマークを表示することを特徴とする。
【手続補正３】
【補正対象書類名】明細書
【補正対象項目名】００１２
【補正方法】変更
【補正の内容】
【００１２】
請求項３記載の発明によれば、前記ストリートの始点から所定距離ごとにマークを表示することによって、ストリートの距離を容易に把握することができる。
【手続補正４】
【補正対象書類名】明細書
【補正対象項目名】００１３
【補正方法】変更
【補正の内容】
【００１３】
また、請求項４記載の発明は、前記ストリートの終点を地図の上側に表示し、前記ストリートの始点を地図の下側に表示することを特徴とする。
【手続補正５】
【補正対象書類名】明細書
【補正対象項目名】００１４
【補正方法】変更
【補正の内容】
【００１４】
請求項４記載の発明によれば、前記ストリートの終点を地図の上側に表示し、前記ストリートの始点を地図の下側に表示することによって、ストリートを歩くままに地図面を展開させ、歩きながら簡単に目的を探すことができる。
【手続補正６】
【補正対象書類名】明細書
【補正対象項目名】００１５
【補正方法】変更
【補正の内容】
【００１５】
また、請求項５記載の発明は、駅の出入口を表した地図であって、前記駅の出入口の識別記号とともに人が前記駅の出入口を出たときの向きを表示することを特徴とする。
【手続補正７】
【補正対象書類名】明細書
【補正対象項目名】００１６
【補正方法】変更
【補正の内容】
【００１６】
請求項５記載の発明によれば、駅の出入口を表した地図であって、前記駅の出入口の識別記号とともに人が前記駅の出入口を出たときの向きを表示することによって、駅の出入口を出たときの位置と方向とが分かり、誤りなく目的地へ進むことができる。
【手続補正８】
【補正対象書類名】明細書
【補正対象項目名】００１７
【補正方法】変更
【補正の内容】
【００１７】
また、請求項６記載の発明は、目的地に対応した前記駅の出入口の識別記号と当該出入口と目的地との関係に係るコメントとを有するコメント欄を表示することを特徴とする。
【手続補正９】
【補正対象書類名】明細書
【補正対象項目名】００１８
【補正方法】変更
【補正の内容】
【００１８】
請求項６記載の発明によれば、目的地に対応した前記駅の出入口の識別記号と当該出入口と目的地との関係に係るコメントとを有するコメント欄を表示することによって、駅の出口から目的地へスムーズに行くことができる。
【手続補正１０】
【補正対象書類名】明細書
【補正対象項目名】００１９
【補正方法】変更
【補正の内容】
【００１９】
また、請求項７記載の発明は、前記地図上に写真表示マークを表示して、該写真表示マークの表示位置の写真を表示することを特徴とする。
【手続補正１１】
【補正対象書類名】明細書
【補正対象項目名】００２０
【補正方法】変更
【補正の内容】
【００２０】
請求項７記載の発明によれば、前記地図上に写真表示マークを表示して、該写真表示マークの表示位置の写真を表示することによって、ストリートの特徴を写真で表示し、現在歩いているストリートを誤りなく進んでいるかを確認することができる。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正書】
【提出日】平成16年10月7日(2004.10.7)
【手続補正１】
【補正対象書類名】特許請求の範囲
【補正対象項目名】請求項３
【補正方法】変更
【補正の内容】
【請求項３】
飛行体に搭載されたレーザ走査装置により、計測対象をレーザパルス光で走査するステップと、
当該レーザ走査装置から出力されるレーザパルス光の、当該計測対象による反射光を受光して、当該計測対象までの距離を計測するステップと、
当該レーザ走査装置の走査域を撮像装置で撮影するステップと、
当該レーザ走査装置によるレーザ走査の間に、当該飛行体の３次元位置及び姿勢を計測するステップと、
当該計測対象までの距離、並びに当該飛行体の３次元位置及び姿勢からレーザ光照射点位置を演算するステップと、
当該撮像装置の撮影画像から当該レーザ光照射点位置の画素情報を抽出して当該撮影画像を重ねた当該計測対象の３次元情報を生成するステップ
とを具備することを特徴とする３次元情報生成方法。
【手続補正２】
【補正対象書類名】明細書
【補正対象項目名】０００９
【補正方法】変更
【補正の内容】
【０００９】
本発明に係る３次元情報生成方法は、飛行体に搭載されたレーザ走査装置により、計測対象をレーザパルス光で走査するステップと、当該レーザ走査装置から出力されるレーザパルス光の、当該計測対象による反射光を受光して、当該計測対象までの距離を計測するステップと、当該レーザ走査装置の走査域を撮像装置で撮影するステップと、当該レーザ走査装置によるレーザ走査の間に、当該飛行体の３次元位置及び姿勢を計測するステップと、当該計測対象までの距離、並びに当該飛行体の３次元位置及び姿勢からレーザ光照射点位置を演算するステップと、当該撮像装置の撮影画像から当該レーザ光照射点位置の画素情報を抽出して当該撮影画像を重ねた当該計測対象の３次元情報を生成するステップとを具備することを特徴とする。
【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
中間層（Ａ１）と該中間層（Ａ１）の両側に積層された外面層（Ｂ１）とからなるベースフィルム（１）を備えたシュリンクラベルであって、
前記外面層（Ｂ１）は、ジオール成分として１、４−シクロヘキサンジメタノールを含有するポリエステル系樹脂からなり、
前記中間層（Ａ１）は、スチレン系樹脂と前記ポリエステル系樹脂との複合樹脂からなり、
前記スチレン系樹脂として、ブタジエンを含有する樹脂が含まれてなり、
前記中間層（Ａ１）と外面層（Ｂ１）とは、溶着により直接接着されてなることを特徴とするシュリンクラベル。
【請求項２】
前記スチレン系樹脂全量中のブタジエンの含有量が５重量％以上である請求項１記載のシュリンクラベル。
【請求項３】
前記複合樹脂中、前記ポリエステル系樹脂が３〜４０重量％含まれてなる請求項１又は２記載のシュリンクラベル。
【請求項４】
請求項１乃至３の何れかに記載のシュリンクラベルの製造方法であって、
中間層（Ａ１）を形成する複合樹脂と、外面層（Ｂ１）を形成するポリエステル系樹脂とを、２種３層型の押出機を用いて、溶融押出し、冷却後、延伸処理をしてベースフィルム（１）とし、該ベースフィルム（１）を用いてシュリンクラベルとすることを特徴とするシュリンクラベルの製造方法。
【手続補正書】
【提出日】平成17年10月28日(2005.10.28)
【手続補正１】
【補正対象書類名】明細書
【補正対象項目名】発明の名称
【補正方法】変更
【補正の内容】
【発明の名称】ローラユニット、定着装置、及び画像形成装置
【手続補正２】
【補正対象書類名】明細書
【補正対象項目名】特許請求の範囲
【補正方法】変更
【補正の内容】
【特許請求の範囲】
【請求項１】  中空の円筒状ローラと、
該円筒状ローラの中空部で螺旋状に巻かれながら該円筒状ローラの長手方向に延びると共に該円筒状ローラの内周面に接触する線材とを備え、
該線材は、
その長手方向中央部の巻きピッチが、その長手方向両端部の巻きピッチよりも密になっているものであることを特徴とするローラユニット。
【請求項２】  前記線材は、
前記円筒状ローラのうちその長手方向両端それぞれからその全長の３分の１の部分における前記線材の巻きピッチが、前記３分の１の部分以外の部分における前記線材の巻きピッチよりも粗になっているものであることを特徴とする請求項１に記載のローラユニット。
【請求項３】  前記線材は、
その長手方向両端部からその長手方向中央部に向かうほど巻きピッチが密になっているものであることを特徴とする請求項１に記載のローラユニット。
【請求項４】  請求項１から３までのうちのいずれか一項に記載のローラユニットを備えたことを特徴とする定着装置。
【請求項５】  請求項１から３までのうちのいずれか一項に記載のローラユニットを備えたことを特徴とする画像形成装置。
【手続補正３】
【補正対象書類名】明細書
【補正対象項目名】０００１
【補正方法】変更
【補正の内容】
【０００１】
【発明の属する技術分野】
本発明は、他のローラとの間に記録媒体などを挟持しながら搬送するローラユニット、このローラユニットを備えた定着装置及び画像形成装置に関する。
【手続補正４】
【補正対象書類名】明細書
【補正対象項目名】００１８
【補正方法】変更
【補正の内容】
【００１８】
本発明は、上記事情に鑑み、定着ローラのような円筒状ローラの肉厚を薄くすると同時にローラ内部に挿入するコイルばね等の線材の線径を小さくしても強度を高められるローラユニット、このローラユニットを備えた定着装置及び画像形成装置を提供することを目的とする。
【手続補正５】
【補正対象書類名】明細書
【補正対象項目名】００１９
【補正方法】変更
【補正の内容】
【００１９】
【課題を解決するための手段】
上記目的を達成するための本発明のローラユニットは、
（１）中空の円筒状ローラと、
（２）該円筒状ローラの中空部で螺旋状に巻かれながら該円筒状ローラの長手方向に延びると共に該円筒状ローラの内周面に接触する線材とを備え、
（３）該線材は、その長手方向中央部の巻きピッチが、その長手方向両端部の巻きピッチよりも密になっているものであることを特徴とするものである。
【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
分光素子によって波長分解された入射光を、アダマール行列における行又は列の＋１、−１の要素の配列に対応してそれぞれ第１の方向に入射光を導く第１領域、第２の方向に入射光を導く第２領域が設定されるように変調可能な分光変調素子に入射させ、前記分光変調素子の第１領域又は第２領域により導かれた光の検出を、アダマール行列の行又は列の順序に従って前記分光変調素子の変調状態を順次切り替えて行い、これらの複数回の検出結果から入射光の波長分布を検出する分光法であって、
前記アダマール行列として、次数２v （ｖは自然数）のアダマール行列であって、初めの２w 個（ｗはｖより小さい自然数）の行又は列の交番数が残りの全ての行又は列の交番数の最小値よりも小さいアダマール行列を用い、少なくとも初めの２w 個の行又は列の要素の配列に対応する２w 回の検出を行うことを特徴とする分光法。
【請求項２】
前記アダマール行列は、行又は列の交番数が昇順のアダマール行列であり、所望な分解能の分光強度が得られる回数の検出が行われた時点で前記検出を終了することを特徴とする請求項１記載の分光法。
【請求項３】
入射光を波長分解する分光素子と、前記分光素子からの光を受ける分光変調素子と、前記分光変調素子により分光変調を受けた前記入射光の変調強度を検出する検出素子とを備え、前記分光変調素子は、アダマール行列のにおける行又は列の＋１、−１の要素の配列に対応してそれぞれ前記検出素子に向かって光を導く第１の領域と、前記検出素子とは異なる方向に光を導く第２領域、あるいは、前記検出素子とは異なる方向に光を導く第２の領域と、前記検出素子に向かって光を導く第１の領域が設定されるように変調可能なものからなり、前記アダマール行列として、次数２v （ｖは自然数）のアダマール行列であって、初めの２w 個（ｗはｖより小さい自然数）の行又は列の交番数が残りの全ての行又は列の交番数の最小値よりも小さいアダマール行列が用いられ、前記分光変調素子は、このアダマール行列の行又は列の順序に従うようにその変調状態が順次切り替えられることを特徴とする分光装置。
【手続補正２】
【補正対象書類名】明細書
【補正対象項目名】００１５
【補正方法】変更
【補正の内容】
【００１５】
【課題を解決するための手段】
上記目的を達成する本発明の分光法は、分光素子によって波長分解された入射光を、アダマール行列における行又は列の＋１、−１の要素の配列に対応してそれぞれ第１の方向に入射光を導く第１領域、第２の方向に入射光を導く第２領域が設定されるように変調可能な分光変調素子に入射させ、前記分光変調素子の第１領域又は第２領域により導かれた光の検出を、アダマール行列の行又は列の順序に従って前記分光変調素子の変調状態を順次切り替えて行い、これらの複数回の検出結果から入射光の波長分布を検出する分光法であって、
前記アダマール行列として、次数２v （ｖは自然数）のアダマール行列であって、初めの２w 個（ｗはｖより小さい自然数）の行又は列の交番数が残りの全ての行又は列の交番数の最小値よりも小さいアダマール行列を用い、少なくとも初めの２w 個の行又は列の要素の配列に対応する２w 回の検出を行うことを特徴とする方法である。
【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
針先部及び該針先部から伸びる針主体部を備えるニードルと、前記針主体部の少なくとも後部側の領域を覆う導電性被膜と、該導電性皮膜をこれの後端部が露出した状態に覆う電気絶縁被膜とを含み、前記針主体部の少なくとも後端部又は先端部に対応する箇所は着色されている、プローブ。
【請求項２】
前記針主体部の先端部及び後端部に対応する各箇所も着色されている、請求項１に記載のプローブ。
【請求項３】
前記針主体部に対応する箇所の長さ方向全体にわたって着色されている、請求項１又は２に記載のプローブ。
【請求項４】
着色されている部材は前記電気絶縁被膜を含む、請求項１から３のいずれか１項に記載のプローブ。
【請求項５】
前記電気絶縁被膜は電気絶縁性樹脂の溶液を付着させて、固化させることにより形成され、前記導電性被膜はメッキにより形成されている、請求項１から４のいずれか１項に記載のプローブ。
【請求項６】
さらに、前記電気絶縁性被膜をこれの先端部が露出した状態に覆う第２の導電性被膜を有する、請求項１から５のいずれか１項に記載のプローブ。
【請求項７】
支持部及び複数の接続部材を有する支持体と、前記支持部に取り付けられた装着具と、請求項１から６のいずれか１項に記載の複数のプローブであって前記絶縁性層被膜又は前記第２の導電性被膜の一部において前記装着具に取り付けられたプローブとを含み、隣り合うプローブの着色箇所は異なる色彩を有しており、各プローブはその後端部において導電性接着剤により前記接続ランドに接着されている、電気的接続装置。
【請求項８】
前記支持体は、さらに、１以上の第２の接続ランドを有しており、各プローブは請求項２に記載されたプローブを含むと共に、前記導電性被膜の後端部において導電性接着剤により前記第２の接続部材に接着されている、請求項７に記載の電気的接続装置。
【手続補正書】
【提出日】平成17年1月18日(2005.1.18)
【手続補正１】
【補正対象書類名】明細書
【補正対象項目名】００２６
【補正方法】変更
【補正の内容】
【００２６】
温調開始直後は筐体内温度モニタ値T2monは大きく上昇するが、分析部温度T1monは速やかに上昇するものの、その最高値は目標値40℃を少し超える程度であり、大きなオーバーシュートは見られない。その後も筐体内温度モニタ値T2monは大きく変化するが、分析部温度T1monは緩やかに変化して安定的に目標温度40℃に近づく。筐体内温度T2monは約７時間で熱平衡に達し、分析部温度T1monも目標温度40℃で安定する（図５）。図５において、筐体内温度モニタ値T2monが43℃付近でハンチングしているように見える。これは本実施例で使用したヒータ出力制御装置（電流制御部）３８の特性により丁度その温度付近で生じたものであるが、本発明に係るカスケード制御により、この温度の揺れが分析部３１の温度の安定性に与える影響はほとんどない。
【手続補正書】
【提出日】平成17年10月11日(2005.10.11)
【手続補正１】
【補正対象書類名】明細書
【補正対象項目名】発明の名称
【補正方法】変更
【補正の内容】
【発明の名称】光学式エンコーダおよび光学式エンコーダ付モータ
【手続補正２】
【補正対象書類名】明細書
【補正対象項目名】特許請求の範囲
【補正方法】変更
【補正の内容】
【特許請求の範囲】
【請求項１】回転ディスクに絶対値検出用のコードパターンを設け、前記コードパターンを透過または、反射した発光素子からの光を受光素子で受光することにより、前記回転ディスクの速度、回転位置を検出する光学式エンコーダにおいて、
前記回転ディスクに設けられたコードパターンはメモリホイール方式によるものとし、当該ディスクのランダムトラックを構成するスリットの分解能となる絶対値データの最下位部が２ｐ−ｑ（ｐ、ｑは任意の整数：ｐ＞１，ｑ＜２ｐ）であることを特徴とする光学式エンコーダ。
【請求項２】回転ディスクに絶対値検出用のコードパターンを設け、前記コードパターンを透過または、反射した発光素子からの光を受光素子で受光することにより、前記回転ディスクの速度、回転位置を検出する光学式エンコーダにおいて、
前記回転ディスクに設けられたコードパターンはグレイコード方式によるものとし、当該ディスクのランダムトラックを構成するスリットの分解能となる絶対値データの最下位部が２ｐ−ｑ（ｐ、ｑは任意の整数：ｐ＞１，ｑ＜２ｐ）であることを特徴とする光学式エンコーダ。
【請求項３】請求項１または２に記載の光学式エンコーダと、それによって回転位置を検出されるサーボモータを備えたことを特徴とする光学式エンコーダ付モータ。
【手続補正３】
【補正対象書類名】明細書
【補正対象項目名】０００１
【補正方法】変更
【補正の内容】
【０００１】
【発明の属する技術分野】
本発明は、工作機械あるいはロボット等に組み込まれるサーボモータに取付られた光学式エンコーダおよび光学式エンコーダ付モータに関するものである。
【手続補正４】
【補正対象書類名】明細書
【補正対象項目名】０００７
【補正方法】変更
【補正の内容】
【０００７】
本発明は上記問題を解決するためになされたものであり、２ｎ／一回転以外の出力データを持つエンコーダの分割精度を向上させることが可能な光学式エンコーダおよび光学式エンコーダ付モータを提供することを目的とするものである。
【手続補正５】
【補正対象書類名】明細書
【補正対象項目名】０００９
【補正方法】変更
【補正の内容】
【０００９】
請求項２に係る発明は、回転ディスクに絶対値検出用のコードパターンを設け、前記コードパターンを透過または、反射した発光素子からの光を受光素子で受光することにより、前記回転ディスクの速度、回転位置を検出する光学式エンコーダにおいて、前記回転ディスクに設けられたコードパターンはグレイコード方式によるものとし、当該ディスクのランダムトラックを構成するスリットの分解能となる絶対値データの最下位部が２ｐ−ｑ（ｐ、ｑは任意の整数：ｐ＞１，ｑ＜２ｐ）としたものである。
また、請求項３の本発明は、光学式エンコーダ付モータに係わるものであって、請求項１または２に記載の光学式エンコーダと、それによって回転位置を検出されるサーボモータを備えたものである。
【手続補正書】
【提出日】平成16年8月2日(2004.8.2)
【手続補正１】
【補正対象書類名】明細書
【補正対象項目名】００２５
【補正方法】変更
【補正の内容】
【００２５】
公共座標Ｐ点のＸＰは、次の数式１により求められる。
【数１】
2004170290.tif 000001
【手続補正２】
【補正対象書類名】明細書
【補正対象項目名】００２６
【補正方法】変更
【補正の内容】
【００２６】
公共座標Ｐ点のＹＰは、次の数式２により求められる。
【数２】
2004170290.tif 000002
【手続補正３】
【補正対象書類名】明細書
【補正対象項目名】００２７
【補正方法】変更
【補正の内容】
【００２７】
公共座標Ｐ点のＺＰは、次の数式３により求められる。
【数３】
2004170290.tif 000003
【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  保持部材（６０）に保持された部品（５０）の撮像面（５１）に対向して配置され、上記部品にて反射した光を撮像するカメラ（１１０）と、
上記保持部材の軸方向に対する上記部品の傾斜を認識させるための第１光（１２１）を上記撮像面に対して照射する第１照明部（１２０）と、
上記カメラ及び上記第１照明部と接続され、上記撮像面における上記第１光の反射光による上記部品の第１撮像情報に基づき上記部品の上記傾斜を求める傾斜決定部（１８１）を有する制御装置（１８０）と、
を備えたことを特徴とする部品撮像装置。
【請求項２】  上記カメラを中心に該カメラの周辺に配置され、上記保持部材に保持された上記部品の形状及び上記保持部材の軸周り方向への上記部品の回転を認識させるための第２光（１３１）を上記部品に対して照射する第２照明部（１３０）をさらに備え、
上記制御装置は、さらに上記第２照明部とも接続され、上記部品における上記第２光の反射光による上記部品の第２撮像情報に基づき上記部品の形状及び上記回転を求める姿勢決定部（１８２）をさらに有する、請求項１記載の部品撮像装置。
【請求項３】  上記制御装置は、上記第１照明部に対する上記第１光の照射及び上記カメラに対する上記第１光による部品撮像と、上記第２照明部に対する上記第２光の照射及び上記カメラに対する上記第２光による部品撮像とを同時に行わせる、請求項２記載の部品撮像装置。
【請求項４】  複数の上記部品が上記カメラの撮像視野（１１２）内を移動方向（６３）へ順次通過するとき、上記制御装置は、上記撮像視野内に上記部品の一つが入った後、該撮像視野内から全ての上記部品が外れる前に、上記第２照明部を動作させずに上記第１照明部を動作させて上記第１光による上記第１撮像情報に基づき上記傾斜を求め、かつ上記第１照明部を動作させずに上記第２照明部を動作させて上記第２光による上記第２撮像情報に基づき上記形状及び上記回転を求める、請求項２記載の部品撮像装置。
【請求項５】  上記制御装置は、上記第１照明部及び上記第２照明部のいずれか一方を動作させた後、いずれか他方の動作を終了させるまで、上記カメラに対して露光を行わせる、請求項４記載の部品撮像装置。
【請求項６】  上記第１照明部は、光源としてレーザを有し、上記第２照明部は、光源として複数のＬＥＤを有する、請求項２から５のいずれかに記載の部品撮像装置。
【請求項７】  保持部材（６０）に保持された部品（５０）の撮像面（５１）に対して、上記保持部材の軸方向に対する上記部品の傾斜を認識させるための第１光（１２１）を照射し、
上記撮像面における上記第１光の反射光にて上記部品を撮像し該第１撮像情報に基づき上記部品の上記傾斜を求める、
ことを特徴とする部品撮像方法。
【請求項８】  上記保持部材に保持された上記部品の形状及び上記保持部材の軸周り方向への上記部品の回転を認識させるための第２光（１３１）を上記部品に対して照射し、
上記部品における上記第２光の反射光にて上記部品を撮像し該第２撮像情報に基づき上記部品の形状及び上記回転を求める、請求項７記載の部品撮像方法。
【請求項９】  上記第１光の照射及び該第１光による部品撮像と、上記第２光の照射及び該第２光による部品撮像とは同時に行う、請求項８記載の部品撮像方法。
【請求項１０】  複数の上記部品がカメラ（１１０）の撮像視野（１１２）内を移動方向（６３）へ順次通過するとき、上記撮像視野内に上記部品の一つが入った後、該撮像視野内から全ての上記部品が外れる前に、上記第１光のみによる上記第１撮像情報に基づき上記傾斜を求め、上記第２光による上記第２撮像情報に基づき上記形状及び上記回転を求める、請求項８記載の部品撮像方法。
【請求項１１】  上記撮像視野内に上記部品が入ったとき、上記第１光のみによる部品撮像を行い、その後、上記撮像視野内から上記部品が外れるときに、上記第２光のみによる部品撮像を行い、上記第１光の照射開始から上記第２光の照射終了まで上記カメラの露光を行う、請求項１０記載の部品撮像方法。
【請求項１２】  請求項１から６のいずれかに記載の部品撮像装置（１００〜１０２）と、
回路基板（７０）を保持する基板保持装置（２２０）と、
上記部品撮像装置にて撮像される部品（５０）を保持する保持部材（６０）を有し、該保持部材に保持されている上記部品を上記回路基板へ装着する部品保持装置（１５０）と、
上記保持部材にて保持される上記部品の供給を行う部品供給装置（２１０）と、
を備えたことを特徴とする部品実装装置。
【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
原子力発電所等の放射性物質取扱施設において作業した業務従事者が着用した衣類等の被検物の放射能汚染の有無を検査し且つその検査結果によって被検物を仕分けるために、被検物の搬送手段および放射能汚染検査手段、仕分け手段等を備えたランドリモニタであって、
前記搬送手段として、ゴムを主材料としエンドレスな輪ゴム構造でテンション印加状態にある複数の搬送用ベルトからなる被検物保持搬送部材としてのベルト群と、駆動モータによって駆動されてベルト群を駆動する駆動用ローラと、駆動用ローラと合わせてベルト群の位置を決めてテンション印加状態を維持させるテンションローラと、を備えている、
ことを特徴とするランドリモニタ。
【請求項２】
前記駆動用ローラが前記搬送用ベルトをはめ込むための溝を備えている、
ことを特徴とする請求項１に記載のランドリモニタ。
【請求項３】
前記搬送用ベルトの無負荷状態の長さが前記駆動用ローラに装着された状態における長さより短い、
ことを特徴とする請求項１に記載のランドリモニタ。
【請求項４】
前記駆動用ローラの両側またはいずれかの側の被検物の搬送に関与しない部分に予備の搬送用ベルトを装着している、
ことを特徴とする請求項１に記載のランドリモニタ。
【請求項５】
前記搬送用ベルトが、一方の端にその太さより小さいフックを備え且つ他方の端にその太さより小さいフック掛けを備えた紐状体であって、フック掛けにフックを掛けられたエンドレスな輪ゴム構造で用いられている、
ことを特徴とする請求項１に記載のランドリモニタ。
【手続補正２】
【補正対象書類名】明細書
【補正対象項目名】０００１
【補正方法】変更
【補正の内容】
【０００１】
【発明の属する技術分野】
この発明は、原子力発電所等の放射性物質取扱施設において作業した業務従事者が着用した衣類等の放射能汚染の有無を検査し且つその検査結果によって被検物を仕分けるランドリモニタに関する。
【手続補正３】
【補正対象書類名】明細書
【補正対象項目名】０００２
【補正方法】変更
【補正の内容】
【０００２】
【従来の技術】
図４は従来のランドリモニタの一例の外観を示す斜視図であり、図５はその内部構成を示す側断面図である。
ランドリモニタは、上述したように、放射性物質取扱施設で作業した業務従事者が着用した衣類等の放射能汚染の有無を検査して仕分ける装置であり、被検物である衣類等を載せて装置内に送り込むための折りたたみ式テーブル１と、被検物を搬送するための搬送部２と、装置を操作するためのスイッチ類や表示器等を備えた操作パネル３と、被検物からの放射線を検出する放射線検出部４と、制御部５と、「挿入可」表示灯61や音声発生部62やプリンタ63と、メンテナンス扉７と、不図示の表示灯付き運用モード切換スイッチ等と、を備えている。
【手続補正４】
【補正対象書類名】明細書
【補正対象項目名】０００９
【補正方法】変更
【補正の内容】
【０００９】
【課題を解決するための手段】
請求項１の発明は、原子力発電所等の放射性物質取扱施設において作業した業務従事者が着用した衣類等の被検物の放射能汚染の有無を検査し且つその検査結果によって被検物を仕分けるために、被検物の搬送手段および放射能汚染検査手段、仕分け手段等を備えたランドリモニタであって、前記搬送手段として、ゴムを主材料としエンドレスな輪ゴム構造でテンション印加状態にある複数の搬送用ベルトからなる被検物保持搬送部材としてのベルト群と、駆動モータによって駆動されてベルト群を駆動する駆動用ローラと、駆動用ローラと合わせてベルト群の位置を決めてテンション印加状態を維持させるテンションローラと、を備えている。
【手続補正５】
【補正対象書類名】明細書
【補正対象項目名】００１４
【補正方法】変更
【補正の内容】
【００１４】
【発明の実施の形態】
この発明は、ランドリモニタの搬送部の被検物保持搬送部材を、従来の金網からゴムを主材料としエンドレスな輪ゴム構造をもつ複数の搬送用ベルトからなるベルト群に置き換えたことを主な特徴とする。
以下において、この発明によるランドリモニタの実施の形態を実施例に従って更に詳しく説明する。なお、従来技術と同じ機能の部分には同じ符号を用いる。
この発明によるランドリモニタの実施例は、図4および図5に示すような従来例と同様の外観および内部構成を有し、被検物である衣類等を載せて装置内に送り込むための折りたたみ式テーブル１や、被検物を搬送するための搬送部2a、装置を操作するためのスイッチ類や表示器等を備えた操作パネル３、被検物からの放射線を検出する放射線検出部４、制御部５等、を備えている。この実施例が従来例と異なる部分は搬送部であるので、以下では実施例の搬送部2aについて説明し、その他の部分の説明は省略する。
【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  原稿を照明するためのＬＥＤと、
前記ＬＥＤと一体に構成され前記ＬＥＤから発光された光をＬＥＤ基板の法線方向に対して傾斜させた方向に照明するためのレンズと、
前記ＬＥＤから発光された前記原稿の画像を読み取るための読取手段と、
を有することを特徴とする画像読取装置。
【請求項２】  複数のＬＥＤが主走査方向に２列配置され、前記読取手段による原稿の画像読取位置を副走査方向の２方向から照明することを特徴とする請求項１に記載の画像読取装置。
【請求項３】  前記複数のＬＥＤが同一のＬＥＤ基板上に配置されていることを特徴とする請求項２に記載の画像読取装置。
【手続補正２】
【補正対象書類名】明細書
【補正対象項目名】００１７
【補正方法】変更
【補正の内容】
【００１７】
【課題を解決するための手段】
上述の問題点を解決するために、本発明の画像読取装置は、原稿を照明するためのＬＥＤと、前記ＬＥＤと一体に構成され前記ＬＥＤから発光された光をＬＥＤ基板の法線方向に対して傾斜させた方向に照明するためのレンズと、前記ＬＥＤから発光された前記原稿の画像を読み取るための読取手段と、を有することを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００３５
【補正方法】変更
【補正の内容】
【００３５】
【発明の効果】
本発明によれば、濃度むら等の読取画像の劣化を防止できる。
【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
ブリッヂ（２）とリム（３）が金属製からなるメガネフレームにおけるメガネの鼻当て部であって、リムから係留させた弾力性のある樹脂製のパッドアーム（４）を用い、その一部に湾曲部（５）を設けることを特徴とするメガネの鼻当て部。
【請求項２】
ブリッヂ（２）とリム（３）が金属製からなるメガネフレームにおけるメガネの鼻当て部であって、ブリッヂ（２）に固定させたコの字形保持部材（７）に樹脂製パッドアーム（４）を接続、あるいは、一体成型したことを特徴とするメガネの鼻当て部（１）。
【請求項３】
ブリッヂ（２）とリム（３）が金属製からなるメガネフレームにおけるメガネの鼻当て部であって、ブリッヂ（２）に固定させたコの字形保持部材（７）にパッドアーム（４）を設けることを特徴とするメガネの鼻当て部。
【手続補正書】
【提出日】平成16年7月27日(2004.7.27)
【手続補正１】
【補正対象書類名】明細書
【補正対象項目名】００１８
【補正方法】変更
【補正の内容】
【００１８】
また、波長λの光に対する空気中の屈折率をｎ１、レンズ１１を構成する材料の屈折率をｎ２とするとき、
ｎ２・sinθ２＝ｎ１・sinθ１
となる。ここで、空気中の屈折率ｎ１を１とし、レンズ１１の材料である石英ガラスの屈折率ｎ２を1.5とすると、θ１とθ２との間には、
sinθ１／sinθ２＝1.5
なる関係が成り立つから、θ２は次の(2)式で算出できる。
θ２＝sin-1［（sinθ１）／1.5］    …(2)